(57)【要約】【課題】  中和器や排水配管を省略して設備の簡略化を図った給湯器の不用水排出方法及びその装置を提供する。【解決手段】  不用水排出方法は、不用水（ドレン水１６）を導くドレン回路５２を通してドレンタンク６０に溜め、このドレンタンクに注水回路（給湯回路１８、注湯回路４０）から水圧を作用させ、その水圧によりドレンタンクの不用水を浴槽８側の循環回路（追焚回路３８）から浴槽に排出させる構成である。不用水排出装置は、不用水（ドレン水１６）を導くドレン回路５２、このドレン回路に設置されて不用水を溜めるドレンタンク６０と、浴槽の浴槽水を熱交換器に循環させる循環回路（追焚回路３８）と、この循環回路に連結されて浴槽に注水する注水回路（給湯回路１８、注湯回路４０）とを備え、注水回路からの水圧をドレンタンクに作用させてドレンタンク内の不用水を循環回路から浴槽側に排出させる構成である。【選択図】        図１
2005114282.tif 000002
【特許請求の範囲】
【請求項１】
不用水を導くドレン回路を通してドレンタンクに溜め、このドレンタンクに注水回路から水圧を作用させ、その水圧により前記ドレンタンクの不用水を浴槽側の循環回路から浴槽に排出させることを特徴とする給湯器の不用水排出方法。
【請求項２】
熱交換によって生じる不用水を導くドレン回路を通してドレンタンクに溜め、このドレンタンクに注水回路から水圧を作用させ、その水圧により前記ドレンタンクの不用水を浴槽側の循環回路から浴槽に排出させ、この排出により前記ドレンタンクに残留する水を前記循環回路から前記浴槽に排出させることを特徴とする給湯器の不用水排出方法。
【請求項３】
不用水を導くドレン回路と、
このドレン回路に設置されて前記不用水を溜めるドレンタンクと、
浴槽の浴槽水を熱交換器に循環させる循環回路と、
この循環回路に連結されて前記浴槽に注水する注水回路と、
を備え、前記注水回路からの水圧を前記ドレンタンクに作用させて前記ドレンタンク内の前記不用水を前記循環回路から前記浴槽側に排出させることを特徴とする給湯器の不用水排出装置。
【請求項４】
熱交換によって生じる不用水を導くドレン回路と、
このドレン回路に設置されて前記不用水を溜めるドレンタンクと、
浴槽の浴槽水を熱交換器に循環させる循環回路と、
この循環回路に連結されて前記浴槽に注水する注水回路と、
を備え、前記注水回路からの水圧を前記ドレンタンクに作用させて前記ドレンタンク内の前記不用水を前記循環回路から前記浴槽側に排出させ、この排出により前記ドレンタンクに残留する水を前記循環回路に排出させることを特徴とする給湯器の不用水排出装置。
【請求項５】
熱交換によって生じる不用水を導くドレン回路と、
このドレン回路に設置されて前記不用水を溜めるドレンタンクと、
浴槽の浴槽水を熱交換器に循環させる追焚回路と、
この追焚回路に連結されて前記浴槽に注水する注水回路と、
この注水回路と前記ドレンタンクの連結、又は前記注水回路と前記追焚回路の連結を切り替える第１の切替弁と、
前記追焚回路に介挿されて前記注水回路と前記追焚回路の連結、又は前記追焚回路と前記ドレンタンクの連結を切り替える第２の切替弁と、
前記追焚回路に設置されたポンプと、
を備え、前記第１及び第２の切替弁の双方又は一方を切り替え、前記注水回路からの水圧を前記ドレンタンクに作用させることにより、前記ドレンタンク内の前記不用水を前記追焚回路を通して前記浴槽に流し込み、又は前記ドレンタンク内の上水を前記ポンプの駆動によって前記追焚回路を通して前記浴槽に排出させることを特徴とする給湯器の不用水排出装置。
【請求項６】
前記請求項３、４又は５に記載の給湯器の不用水排出装置において、
前記ドレン回路に開閉弁が設置され、
この開閉弁が、前記ドレンタンクに前記不用水を導く場合に開状態に切り替え、前記ドレンタンク内の前記不用水を排出させる場合に閉状態に切り替え、又は前記ドレンタンク内の水を前記追焚回路に排出させる場合に開状態に切り替えられる構成とすることを特徴とする給湯器の不用水排出装置。
【発明の詳細な説明】
【技術分野】
【０００１】
本発明は、高効率給湯器用風呂釜、風呂暖房器等に用いられる給湯器に関し、給湯器の二次熱交換器に発生する凝縮水等の不用水の排出方法及びその装置に関する。
【背景技術】
【０００２】
高効率機器では、熱交換によって発生する強酸性のドレン水を中和する中和器が内蔵されており、しかも、その中和水は、大量であるため、専用の配管を設置して高効率機器外に導き、側溝等に排出させていた。パイプシャフト設置では専用の排水管が必要であるため、設備コストが掛かり、コストを抑制するために設置を断念したり、場所によっては設置できないという不都合があった。また、給湯暖房機では、暖房回路のオーバーフロー水も同様の排水処理のための排水配管が必要であるが、それが設置されない場合にはオーバーフロー水が垂れ流し状態で放置される場合もある。
【０００３】
このような高効率機器や給湯暖房機等から発生する不用水の処理について、次のような先行技術が存在している。
【特許文献１】特開２００１−２６３７８９号公報
【特許文献２】特開平６−１４７６２９号公報
【特許文献３】特開２００２−１８１３９２号公報
【特許文献４】特開平６−３３１２２０号公報
【特許文献５】特開平５−５２３１９号公報
【特許文献６】特開２００２−９８４１３号公報
【特許文献７】特開２００２−３９６２３号公報
【発明の開示】
【発明が解決しようとする課題】
【０００４】
ところで、特許文献１、２には、上記問題について、不用水を機器内の風呂ポンプを利用して弁で回路を切り替えて浴槽に流し込む方法が開示されている。このような方法は、ポンプ駆動に余分なエネルギーが使用され、使用頻度が高いと、耐久性を低下させる問題がある。
【０００５】
また、特許文献３、４、５では、不用水を給水回路に戻すという方法が開示されているが、給水回路に不用水を戻すことは衛生上好ましくない等、現実性に乏しい。
【０００６】
また、特許文献６、７には、不用水を排気熱で蒸発する方法が開示されているが、処理効果が蒸発能力に依存させているため、ドレンの発生量が多い高効率給湯器には不向きである。
【０００７】
そこで、本発明は、中和器や排水用配管を省略して設備の簡略化を図った給湯器の不用水排出方法及びその装置を提供することを目的とする。
【課題を解決するための手段】
【０００８】
上記目的を達成するため、本発明の給湯器の不用水排出方法は、不用水（ドレン水１６）を導くドレン回路５２を通してドレンタンク６０に溜め、このドレンタンクに注水回路（給湯回路１８、注湯回路４０）から水圧を作用させ、その水圧により前記ドレンタンクの不用水を浴槽８側の循環回路（追焚回路３８）から浴槽に排出させる構成である。不用水は、熱交換により生じる凝縮水、暖房によって生じる結露水等の各種の水分を含むものである。
【０００９】
斯かる構成としたことにより、ドレンタンクに溜められた不用水は、ドレンタンクに注水回路から作用させた水圧により、その注水とともに循環回路に流れ、浴槽への排出が可能である。この場合、不用水が強酸性であっても、注水と混合されて希釈化され、中和と同等の処理が行われることになる。
【００１０】
上記目的を達成するには、熱交換によって生じる不用水を導くドレン回路を通してドレンタンクに溜め、このドレンタンクに注水回路から水圧を作用させ、その水圧により前記ドレンタンクの不用水を浴槽側の循環回路から浴槽に排出させ、この排出により前記ドレンタンクに残留する水を前記循環回路から前記浴槽に排出させる構成としてもよい。
【００１１】
斯かる構成とすれば、ドレンタンクに溜められた不用水の浴槽への排出とともに注水との混合による希釈化が可能であり、さらに、ドレンタンク内に残留する水は循環回路を通して浴槽へ排出される。
【００１２】
上記目的を達成するため、本発明の給湯器の不用水排出装置は、不用水（ドレン水１６）を導くドレン回路５２、このドレン回路に設置されて前記不用水を溜めるドレンタンク６０と、浴槽８の浴槽水４９を熱交換器６に循環させる循環回路（追焚回路３８）と、この循環回路に連結されて前記浴槽に注水する注水回路（給湯回路１８、注湯回路４０）とを備え、前記注水回路からの水圧を前記ドレンタンクに作用させて前記ドレンタンク内の前記不用水を前記循環回路から前記浴槽側に排出させる構成である。
【００１３】
斯かる構成としたことにより、ドレンタンクに溜められた不用水は、ドレンタンクに注水回路からの水圧により、その注水とともに循環回路に流れ込み、浴槽への排出が可能であるとともに、不用水は注水と混合されて希釈化され、強酸性の不用水は中和と同等の処理により無害化される。
【００１４】
上記目的を達成するためには、本発明の給湯器の不用水排出装置は、熱交換によって生じる不用水を導くドレン回路と、このドレン回路に設置されて前記不用水を溜めるドレンタンクと、浴槽の浴槽水を熱交換器に循環させる循環回路と、この循環回路に連結されて前記浴槽に注水する注水回路とを備え、前記注水回路からの水圧を前記ドレンタンクに作用させて前記ドレンタンク内の前記不用水を前記循環回路から前記浴槽側に排出させ、この排出により前記ドレンタンクに残留する水を前記循環回路に排出させる構成としてもよい。
【００１５】
斯かる構成とすれば、ドレンタンクに溜められた不用水の浴槽への排出とともに注水との混合による希釈化が可能であり、さらに、ドレンタンク内に残留する水は循環回路を通して浴槽へ排出させることができる。
【００１６】
上記目的を達成するためには、本発明の給湯器の不用水排出装置は、熱交換によって生じる不用水（ドレン水１６）を導くドレン回路５２と、このドレン回路に設置されて前記不用水を溜めるドレンタンク６０と、浴槽の浴槽水を熱交換器に循環させる追焚回路３８と、この追焚回路に連結されて前記浴槽に注水する注水回路（給湯回路１８、注湯回路４０）と、この注水回路とドレンタンクの連結、又は前記注水回路と前記追焚回路の連結を切り替える第１の切替弁５０と、前記追焚回路に介挿されて前記注水回路と前記追焚回路の連結、又は追焚回路とドレンタンクの連結を切り替える第２の切替弁５６と、前記追焚回路に設置されたポンプ７０とを備え、前記第１及び第２の切替弁の双方又は一方を切り替え、前記注水回路からの水圧を前記ドレンタンクに作用させることにより、前記ドレンタンク内の前記不用水を前記追焚回路を通して前記浴槽に流し込み、又は前記ドレンタンク内の上水を前記ポンプの駆動によって前記追焚回路を通して前記浴槽に排出させる構成としてもよい。
【００１７】
また、上記目的を達成するためには、この給湯器の不用水排出装置において、前記ドレン回路に開閉弁（ドレン電磁弁５８）が設置され、この開閉弁が、前記ドレンタンクに前記不用水を導く場合に開状態に切り替え、前記ドレンタンク内の前記不用水を排出させる場合に閉状態に切り替え、又は前記ドレンタンク内の水を前記追焚回路に排出させる場合に開状態に切り替えられる構成としてもよい。斯かる構成とすれば、ドレン回路の外気への開放による不都合が回避される。
【発明の効果】
【００１８】
以上説明したように、本発明によれば、熱交換等により発生する凝縮水等の不用水を中和器や屋外排水用配管を設けることなく、効率よく排出させることができ、しかも、全自動回路を活用できるので、省スペース化やコストダウンを図ることができる。
【発明を実施するための最良の形態】
【００１９】
本発明の実施形態について、図１及び図２を参照して説明する。図１は、本発明の実施形態としての給湯器の概要を示す図、図２は、その構成を簡略化して示した図である。
【００２０】
この給湯器２には、一つの筐体内に給湯用の一次熱交換器４と、追焚用の熱交換器６が備えられ、これらは双方並行運転又は単独運転の何れでも運転可能な機能を備えるとともに、一方の機能を他方で活用する機能として、熱交換器４で加熱した湯を熱交換器６側に繋いで浴槽８に湯張りできる機能を備えている。この給湯器２では熱交換器４が高効率対応として構成されているため、一次熱交換器４には、給湯燃焼室１０内の排気ガス１２から潜熱を回収する手段として二次熱交換器１４が設置されている。熱交換器１４には、潜熱回収の際に、排気ガス１２中の水蒸気が凝縮し、それが不用水であるドレン水１６として生じる。
【００２１】
給湯回路１８を説明すると、給水口２０から入った水Ｗは、二次熱交換器１４側に入り、この熱交換器１４を通過した後、流量センサ２２を通って一次熱交換器４を経て給湯口２４側に至る。一般的に、湯の設定温度に対する応答性を高めるため、熱交換器４に跨がってバイパス水制御弁２６が設置されているとともに、水制御弁２８が設置されている。また、この給湯回路１８には、過圧防止安全装置３０、入水温を検出する温度検出手段として入水温サーミスタ３２、出湯湯温を検出する温度検出手段として出湯温サーミスタ３４、混合湯温を検出する温度検出手段として混合湯温サーミスタ３６等が設置されている。
【００２２】
また、この給湯回路１８と追焚回路３８とを連結する注湯回路４０は、給湯口２４の手前で分岐し、給湯回路１８で得られた湯ＨＷを追焚回路３８に流し込む手段である。斯かる注湯回路４０には、バキュームブレーカ４２、注湯電磁弁４４、注湯量を測定するための注湯量センサ４６、逆止弁４８、第１の切替弁５０等が設置されており、給湯側で得られた湯ＨＷが浴槽８側に注湯可能である。逆止弁４８は、上水側と浴槽水４９とを縁切りする手段を構成する。また、切替弁５０は注湯回路４０に対してドレン回路５２と追焚回路３８とを切り換える手段を構成する。
【００２３】
ドレン回路５２は、熱交換器１４側に設置されたドレン受け５４と追焚回路３８に設置された第２の切替弁５６を介して追焚回路３８との間に形成されているとともに、その中途部を分岐して切替弁５０に接続されてドレン水１６を浴槽側回路に排出する排出部としての管路で構成されている。このドレン回路５２には、開閉弁としてのドレン電磁弁５８、ドレンタンク６０、ドレン水１６の上昇検出手段としてのサーミスタ６２等が設置されている。熱交換器１４で発生したドレン水１６はドレンタンク６０に導かれて溜められ、このドレンタンク６０から切替弁５６側に導びかれるとともに切替弁５０側に導びかれて浴槽水４９側に合流させる構成である。
【００２４】
この実施形態では、ドレン回路５２には図示しない暖房回路に設置された暖房用オーバーフロータンク６４が連結され、暖房側のオーバーフロー水がドレンタンク６０に導かれるように構成されている。
【００２５】
また、追焚回路３８は、燃焼室６６内に設置された熱交換器６と浴槽８の循環アダプタ６８との間に形成されており、斯かる追焚回路３８には、ポンプ７０、流水スイッチ７２、温度検出手段として風呂入サーミスタ７４、風呂出サーミスタ７６が設置されている。即ち、注湯回路４０に２経路が設けられ、１経路側は従前通りの構成であり、他の１経路としてドレン回路５２が設けられてドレン水１６を溜めるドレンタンク６０が設置されている。即ち、注湯時の水圧を切替弁５０、５６の切替えにより、ドレンタンク６０のドレン水１６がポンプ７０による湯水の圧送力を利用して追焚回路３８に流されて浴槽８に流れ込む構成である。
【００２６】
また、給湯燃焼室１０側には給湯バーナ７８、追焚燃焼室６６側には追焚バーナ８０が設置され、燃料ガスＧが燃料ガス管８２を通じて供給されているとともに、元ガス電磁弁８４及びガス比例弁８６を経て給湯バーナ７８側に切替電磁弁８８、ガス電磁弁９０、切替電磁弁９２が設置され、追焚バーナ８０側にガス電磁弁９４が設置されて燃料ガスＧの切替え及び調整が可能に構成されている。即ち、燃料ガスＧは、ガス比例弁８６等を通じて給湯バーナ７８、追焚バーナ８０に供給され、必要に応じて燃焼が行われる。
【００２７】
そして、給湯器２には、制御装置９６を構成する電装基板が設置され、この制御装置９６にはリモコン装置９８が備えられている。また、給湯燃焼室１０側には、燃焼空気を導く給気ファン１００が設置されている。
【００２８】
次に、この給湯器２の制御装置９６について、図３を参照して説明する。図３は、その制御装置９６の構成例を示している。
【００２９】
制御装置９６には、マイクロコンピュータ等で構成される制御部１０４が設置され、この制御部１０４には、サーミスタ６２、注湯量センサ４６、流水スイッチ７２、自動（お湯張り）ボタン１０６、凍結予防サーミスタ１０８、その他のセンサ１１０から検出信号が加えられ、制御部１０４の制御出力が切替弁５０、５６、ドレン電磁弁５８、水制御弁２８、注湯電磁弁４４、ポンプ７０、その他の機器１１２等に加えられる。制御部１０４には、リモコン装置９８の制御部１１４が連係されており、制御部１１４には、キースイッチ等を含む操作部１１６から操作入力が加えられ、制御部１１４の制御出力が警報機１１８、図示しない他の機器に加えられる構成である。
【００３０】
斯かる給湯器２について、基本的な動作とともにドレン水１６の排出動作を説明する。      
【００３１】
熱交換器１４に発生する凝縮水はドレン水１６としてドレンタンク６０に溜められる。追焚回路３８と注湯回路４０との間にはドレン回路５２が設置されるとともに、切替弁５０、５６が設けられている。また、ドレン回路５２には、ドレン電磁弁５８が設置されており、このドレン電磁弁５８の開閉により、外気に開放されているドレン回路５２と追焚回路３８、注湯回路４０との遮断、開閉が行われる。ドレンタンク６０に溜まったドレン水１６は、ドレン電磁弁５８を閉じ、切替弁５０を切り替えてドレンタンク６０と注湯回路４０とを開通させるとともに、切替弁５６を切り替えてドレンタンク６０と追焚回路３８を開通させると、注湯回路４０を通して流れる温水に押されてドレンタンク６０内のドレン水１６が浴槽８に排出される。所定量のドレン水１６の排出が終了すると、ドレン電磁弁５８を開にするとともに、切替弁５０を切り替えて注湯回路４０と追焚回路３８とを開通させ、ポンプ７０を運転してドレンタンク６０内の残留水を浴槽８に排出する。これはドレンタンク６０内を空にし、ドレン水１６を流し込むための前準備となる。その後、切替弁５６を切り替えて追焚回路３８とドレン回路５２とを遮断し、ドレン水１６をドレンタンク６０に溜める。ドレンタンク６０にドレン水１６が溜まった場合、上記動作を繰り返すことになる。
【００３２】
その結果、ドレン水１６等の不用水はドレンタンク６０から適時水圧により機外に排出され、専用のドレン配管を設けずにドレン水１６等の不用水を排出できる。また、ドレン水１６が仮に強酸性であったとしても、大量の上水と混合されて希釈化されるので、実質的な中和と同様である。また、不用水排出の駆動源に給水圧を利用するため、例えば、ポンプ駆動による余分なエネルギーが不要であり、ドレン水１６等の排出のための駆動部分がないため、メンテナンスの必要もなく、耐久性に優れ、機械的な負荷も低い。
【００３３】
ドレン水の排出方法について、図４を参照して説明する。図４は、ドレン排出処理の基本動作を示すフローチャートである。
【００３４】
ドレン排出処理では、ドレンタンク６０を経由する注湯回路４０を確立し（ステップＳ１）、ドレンタンク６０内を上水で置換できるまで注湯する（ステップＳ２）。ドレンタンク６０から浴槽８の回路を確立し（ステップＳ３）、ドレンタンク６０が空になるまで浴槽８に吸出する（ステップＳ４）。そして、通常の注湯回路４０に戻し（ステップＳ５）、全ての処理を完了する。
【００３５】
このドレン排出処理の詳細について、図５及び図６を参照して説明する。図５及び図６は、そのドレン排出処理の詳細を示すフローチャートであり、Ａ、Ｂ、Ｃは結合子を示している。
【００３６】
このドレン排出処理において、ドレンタンク６０のドレン排出動作はステップＳ１２〜Ｓ２１、ドレンタンク６０内を空にする動作はステップＳ２２〜Ｓ３６で実行される。
【００３７】
ドレン排出処理では、排出タイミングか否かが判定され（ステップＳ１１）、この排出タイミングは次のような優先順位が設定されている。即ち、この優先順位は、
(1) 自動（お湯張り）ボタン１０６を押したとき
(2) 注湯終了後のポンプ循環を始めるとき
(3) 追焚回路３８の凍結予防サーミスタ１０８が作動した場合のポンプ循環終了時
(4) 設定熱出力を超えるまでに排出動作（前記(1) 、(2) 、(3) ）が行われなかった場合（給湯時、入水温、出湯量、出湯温から出力計算し、ドレンタンク６０が満水になる給湯出力を設定熱出力とする）
(5) ドレンタンク６０が満たされ、サーミスタ６２がドレン水１６を検出したとき
である。
【００３８】
排出タイミングが到来していると、ドレン電磁弁５８が閉じられ（ステップＳ１２）、これにより逆流防止が確立する。次に、切替弁５６、５０の切替えによりドレンタンク６０経由の回路が確保され（ステップＳ１３、Ｓ１４）、注湯電磁弁４４が開に切り替えられる（ステップＳ１５）。この結果、注湯回路４０が確立し、具体的には、給湯熱交換→注湯量センサ４６→切替弁５０→ドレンタンク６０→切替弁５６→ポンプ７０→熱交換器６→浴槽８への注水経路が確立することになる。
【００３９】
この結果、注水が開始されるが、注湯量センサ４６の反応の有無が判定され（ステップＳ１６）、その反応がなく、一定時間が経過したか否かが判定され（ステップＳ１７）、一定時間が経過しても注湯量センサ４６のセンサ出力が得られない場合、給湯異常アラームが発せられ（ステップＳ１８）、アラーム処理（ステップＳ１９）（図６）が実行される。
【００４０】
正常に注湯量センサ４６の出力が得られ、規定量の注湯が行われたとき（ステップＳ２０）、注湯電磁弁４４が閉じられる（ステップＳ２１）。このような処理によってドレンタンク６０経由の回路が確保され、ドレンタンク６０内のドレン水１６が注水に押され、追焚回路３８を通して浴槽８側に流れる。
【００４１】
この状態で切替弁５０が注湯側に切り替えられ、ポンプ７０が運転を開始すると（ステップＳ２３）、浴槽８側への注水が可能である。流水スイッチ７２がＯＦＦか否かが判定され（ステップＳ２４）、一定時間が経過しても（ステップＳ２５）、流水スイッチ７２がＯＦＦにならない場合、弁もれアラームが発せられ（ステップＳ２６）、アラーム処理（ステップＳ１９）が実行される。
【００４２】
また、流水スイッチ７２がＯＦＦになると、ドレン電磁弁５８が開かれ（ステップＳ２７）、流水スイッチ７２がＯＮしたか否かが判定され（スイッチ２８）、一定時間が経過しても（ステップＳ２９）、流水スイッチ７２がＯＮにならない場合、ドレン電磁弁アラームが発せられ（ステップＳ３０）、アラーム処理（ステップＳ１９）が実行される。
【００４３】
そして、流水スイッチ７２がＯＦＦしたか否かが判定され（ステップＳ３１）、一定時間が経過しても（ステップＳ３２）、流水スイッチ７２がＯＦＦにならない場合、ドレン水アラームが発せられ（ステップＳ３３）、アラーム処理（ステップＳ１９）が実行される。
【００４４】
また、流水スイッチ７２がＯＦＦになったとき、切替弁５６が追焚回路３８側に切り替えられ（ステップＳ３４）、ポンプ７０の運転が停止され（ステップＳ３５）、自動中に排出タイミング(4) 、(5) が発生したか否かが判定され（ステップＳ３６）、発生した場合には排出開始前に戻し（ステップＳ３７）、ドレン排出処理を完了する。
【００４５】
このドレン排出処理動作において、ドレン排出以外の各弁の開閉状態は、図７に示すようになる。
【００４６】
このようにドレン水をいつ排出するか、即ち、排出タイミングが上記のように設定されていることから、上記排出タイミング(4) 及び(5) を検出した場合には、その時点で強制排出を実行し、その場合、先ずドレン電磁弁５８を閉じ、逆流を防止する。注湯電磁弁４４を開いて注湯すると、ドレンタンク６０内のドレン水１６は水圧で押し流され、大量の水と混ざって希釈化されながら浴槽８に排出される。そして、ドレンタンク６０が上水で置換できる設定量まで注水したら、注湯電磁弁４４を閉じ、切替弁５０は通常回路に復帰させるが、ドレンタンク６０内が上水で満たされた状態ではドレン水１６を溜められないので、この状態でポンプ７０を作動させ、ドレン電磁弁５８を開けることにより、ドレンタンク６０内の水を排出させる。即ち、吸い出し動作が実行される。ドレンタンク６０が空になると、流水スイッチ７２がＯＦＦするので、これを検知すれば、その空状態を検知することができる。そこで、切替弁５６を通常回路に復帰させ、ポンプ７０を停止させる。この場合、浴槽８に浴槽水４９があり、再び流水スイッチ７２が入ってもこれは無視する。
【００４７】
通常運転時には、ドレン電磁弁５８は開となっていて、ドレンタンク６０にドレン水１６が溜まっていくが、既述の通り、ドレン排出タイミング(5) 以外のときには、ドレンタンク６０の収容容量で十分足りることを前提としてドレン水１６を溜めていく。この場合、タイミングが合わずにドレン水１６の排出が不十分となり、ドレンタンク６０が溜まって溢れる場合には、サーミスタ６２が検知してドレン排出動作を優先的に実行するので、過剰な溢れ等の不都合はない。
【００４８】
そして、ドレン水１６の排出処理動作、給水動作、追焚動作における各種水の流れについて、図８〜図１１を参照して説明する。図８は、ドレンタンク６０のドレン水１６の排出時の水の流れ及び経路、図９は、ドレンタンク６０内の水の排出時の流れ及びその経路、図１０は注湯時の水の流れ及び経路、図１１は追焚時の浴槽水４９の流れ及び経路を示している。
【００４９】
(1) ドレンタンク６０のドレン水１６の排出
この場合、ドレン水１６は、図８の矢印ａ、ｂ、ｃ、ｄ、ｅに示すように、注湯回路４０による注湯等の給水圧がドレンタンク６０に作用し、循環回路である追焚回路３８に流れ込み、浴槽８に排出される。
【００５０】
(2) ドレンタンク６０の水の排出
(1) の動作でドレンタンク６０内のドレン水１６が排出されると、ドレンタンク６０に残留した水は、ポンプ７０の運転により、図９の矢印ａ、ｂ、ｃ、ｄに示すように、ドレン回路５２から追焚回路３８に流れ込み、浴槽８に排出される。
【００５１】
(3) 給湯動作又は注水動作
図１０の矢印ａ、ｂ、ｃ、ｄ、ｅ、ｆに示すように、注湯回路４０から追焚回路３８を通して浴槽８に給湯又は給水が行われる。
【００５２】
(4) 追焚循環
追焚時には、図１１の矢印ａ、ｂ、ｃ、ｄ、ｅに示すように、追焚回路３８を通して浴槽８の浴槽水４９の循環が行われる。この循環時、熱交換器６による熱交換により、追焚きが行われる。
【００５３】
なお、実施形態では、高効率給湯器付風呂釜や高効率給湯器付風呂暖房器等を例示して説明したが、本発明は、高効率給湯器付の風呂釜及び風呂暖房器等だけでなく、二次熱交換器等の各種の熱交換器の熱交換等で発生する凝縮水等の不用水の中和及び排出が可能であり、実施形態に限定されるものではない。
【００５４】
また、実施形態では、不用水の排出タイミングとして、自動処理時、凍結予防のためにポンプ７０が動作したとき、給湯（熱出力）の累積熱量が設定値を超えたとき、ドレンタンク６０が満水になり、サーミスタ６２が検出したとき等の各種のタイミングを例示したが、本発明は、このようなタイミングに限定されるものではない。
【００５５】
また、本発明において、不用水とは、凝縮水、暖房用オーバーフロータンク６４からのオーバーフロー水、過圧逃し弁からの溢出水の全てを対象としており、実施形態のドレン水１６に限定されるものではない。凝縮水の他、暖房用オーバーフロータンク６４からのオーバーフロー水、過圧逃し弁からの逃し水等もタンクまでの配管を行えば排出が可能である。
【００５６】
なお、実施形態では、給湯、給水のための経路として給湯回路１８及び注湯回路４０を例示したが、熱交換を伴わない場合には上水を通過させることから、その場合には、給水回路及び注水回路として機能することは勿論のことであり、給湯回路１８及び注湯回路４０を通過する湯に限定されるものではない。
【００５７】
以上説明したように、本発明の最も好ましい実施形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００５８】
本発明は、熱交換によって生じる凝縮水等の不用水を給湯器から外部に効率よく、しかも、既存の設備を利用することにより、ドレン水等の不用水の排出処理が可能であり、産業上有益な発明である。
【図面の簡単な説明】
【００５９】
【図１】本発明の実施形態に係る給湯器を示す図である。
【図２】本発明の実施形態に係る給湯器を示す図である。
【図３】制御装置の構成を示すブロック図である。
【図４】ドレン排出処理の基本動作を示すフローチャートである。
【図５】ドレン排出処理を示すフローチャートである。
【図６】ドレン排出処理を示すフローチャートである。
【図７】ドレン排出系統の弁動作を示す図である。
【図８】注水動作によるドレン水の排出を示す図である。
【図９】ドレンタンク内の水の排出を示す図である。
【図１０】注水、給湯動作を示す図である。
【図１１】追焚循環動作を示す図である。
【符号の説明】
【００６０】
２  給湯器
８  浴槽
４、６、１４  熱交換器
１６  ドレン水（不用水）
１８  給湯回路（注水回路）
３８  追焚回路（循環回路）
４０  注湯回路（注水回路）
４９  浴槽水
５０  第１の切替弁
５２  ドレン回路
５６  第２の切替弁
５８  ドレン電磁弁（開閉弁）
６０  ドレンタンク
７０  ポンプ
【図１】
2005114282.tif 000003
【図２】
2005114282.tif 000004
【図３】
2005114282.tif 000005
【図４】
2005114282.tif 000006
【図５】
2005114282.tif 000007
【図６】
2005114282.tif 000008
【図７】
2005114282.tif 000009
【図８】
2005114282.tif 000010
【図９】
2005114282.tif 000011
【図１０】
2005114282.tif 000012
【図１１】
2005114282.tif 000013